(57)【要約】【課題】使い勝手の向上した画像形成装置およびその制御方法を提供すること目的とする。【解決手段】画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置において、トナーエンドが発生している場合に、カラーモードに関係する項目をデフォルト値として保存しない制御手段を備えた。【選択図】        図１
2007156279.tif 000002
【特許請求の範囲】
【請求項１】
画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置において、
トナーエンドが発生している場合に、カラーモードに関係する項目をデフォルト値として保存しない制御手段を備えたことを特徴とする画像形成装置。
【請求項２】
画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置において、
ステープルエンドが発生している場合に、ステープルに関係する項目をデフォルト値として保存しない制御手段を備えたことを特徴とする画像形成装置。
【請求項３】
デフォルト設定を呼び出す際、トナーエンド、または、ステープルエンドが発生していないかの検査し、トナーエンド、または、ステープルエンドが発生している場合には、それらに関係する機能を呼び出さないようにしたことを特徴とする請求項１または請求項２記載の画像形成装置。
【請求項４】
画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置の制御方法において、
トナーエンドが発生している場合に、カラーモードに関係する項目をデフォルト値として保存しないようにしたことを特徴とする画像形成装置の制御方法。
【請求項５】
画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置の制御方法において、
ステープルエンドが発生している場合に、ステープルに関係する項目をデフォルト値として保存しないようにしたことを特徴とする画像形成装置の制御方法。
【請求項６】
デフォルト設定を呼び出す際、トナーエンド、または、ステープルエンドが発生していないかの検査し、トナーエンド、または、ステープルエンドが発生している場合には、それらに関係する機能を呼び出さないようにしたことを特徴とする請求項４または請求項５記載の画像形成装置の制御方法。
【発明の詳細な説明】
【技術分野】
【０００１】
本発明は、画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置およびその制御方法に関する。
【背景技術】
【０００２】
従来、複写機等の画像形成装置において、ユーザの指示する処理要求に従って最適な条件で画像形成等の処理がなされるように、装置に対し画像形成等の処理に係わる各種の条件が設定される。
【０００３】
こうした条件には、実際に複写を要求するユーザや装置の維持、管理を行うカスタマエンジニア等により設定される条件も含まれる。
【０００４】
近年、こうしたユーザやカスタマエンジニア等の操作による設定を容易かつ適正に行うために、画像形成動作に係わる条件としてこれまでに設定されている値、あるいはデフォルト値（デフォルト情報）を設定し、設定された条件を画面表示し、オペレータが画面を見ながらキー操作等の入力操作を行うことにより設定変更を行ったり、表示された情報を確認したりできるようになっている。
【０００５】
このために、初期条件や過去の設定条件を保存している。また、画像形成動作に関連する情報や装置の使用状態の履歴情報を管理して、これらの情報を画面表示し、オペレータが参照できるようにしている。具体的には、例えば下記ａ）〜ｃ）に示すような場合に利用されている。
【０００６】
ａ）  長期的に安定した画像が得られるようにするために、不揮発性メモリに記憶した使用枚数等の使用履歴データを参照し、そのデータに応じて画像形成プロセス制御のパラメータを変える。
【０００７】
ｂ）  不揮発性メモリに記憶した紙詰まりや自己診断エラー結果等の障害に関わる履歴データを参照し、その記憶結果に応じて適切なアフターケアを受けられるようにする。
【０００８】
ｃ）  不揮発性メモリに記憶したユーザや目的業務別に異なる操作手順データを参照し、操作手順のカスタマイズを可能とする。
【０００９】
ところで、近年の画像形成装置の高機能化の進展によって、画像形成関連情報も膨大な項目数となってしまっている。
【００１０】
画像形成関連情報は、装置の規模によっても異なるが、数１００〜数１０００個程度となる。こうした項目数となると、必要な調整項目を操作部に設けた限られた大きさの表示画面で探し出すのは、可成り困難を伴うことになってしまう。
【００１１】
また、調整項目には、設定された初期値がその内容に含まれており、一部が調整時にオペレータにより変更される。
【００１２】
例えば、「ＭＴＦ係数設定」のような画像形成関連情報の設定値は、初期値が”０”というわけではなく、装置によって異なる値をとる。
【００１３】
このような項目を一旦変更してしまった場合、確認のため初期値に戻そうと思っても、初期値は装置によって異なるので、事実上不可能であるし、どの項目を初期値から変更したのかを判断するのさえ困難であり、その結果、設定値の変更操作に手間取ってしまっていた。
【００１４】
このような事態を解消するために、例えば、特許文献１のように、確認あるいは変更しようとする設定条件の項目を効率良く探し出すことが可能な表示手段を備えた画像形成装置が提案されている。
【特許文献１】特開２００１−３５６６４９号公報
【発明の開示】
【発明が解決しようとする課題】
【００１５】
しかしながら、このような従来技術では、デフォルトプログラムを登録する際、トナーエンド、ステープルエンドが発生している場合であってもそれらに関係するモードをデフォルト値として登録するため、デフォルト値を呼び出した際、警告等が発生してしまう要因になる。
【００１６】
本発明は、かかる実情に鑑みてなされたものであり、使い勝手の向上した画像形成装置およびその制御方法を提供すること目的とする。
【課題を解決するための手段】
【００１７】
本発明は、画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置において、トナーエンドが発生している場合に、カラーモードに関係する項目をデフォルト値として保存しない制御手段を備えたものである。
【００１８】
また、画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置において、ステープルエンドが発生している場合に、ステープルに関係する項目をデフォルト値として保存しない制御手段を備えたものである。また、デフォルト設定を呼び出す際、トナーエンド、または、ステープルエンドが発生していないかの検査し、トナーエンド、または、ステープルエンドが発生している場合には、それらに関係する機能を呼び出さないようにしたものである。
【００１９】
また、画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置の制御方法において、トナーエンドが発生している場合に、カラーモードに関係する項目をデフォルト値として保存しないようにしたものである。
【００２０】
また、画像形成動作に関わる既設定の条件、デフォルト設定の条件を表示する手段と、該表示手段により表示された設定条件を指定して、その設定条件を変更する入力操作手段と、デフォルト設定を保存する手段とを備えた画像形成装置の制御方法において、ステープルエンドが発生している場合に、ステープルに関係する項目をデフォルト値として保存しないようにしたものである。また、デフォルト設定を呼び出す際、トナーエンド、または、ステープルエンドが発生していないかの検査し、トナーエンド、または、ステープルエンドが発生している場合には、それらに関係する機能を呼び出さないようにしたものである。
【発明の効果】
【００２１】
したがって、本発明によれば、トナーエンド、ステープルエンドが発生している場合には、それらに関係する項目をデフォルト値の対象外にすることで、ユーザーにとって使いやすい機能を提供することができるという効果を得る。
【発明を実施するための最良の形態】
【００２２】
以下、添付図面を参照しながら、本発明の実施の形態を詳細に説明する。
【００２３】
図１は、本発明の一実施例にかかる画像形成装置の構成例を示している。
【００２４】
同図において、自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。
【００２５】
一枚の原稿を給送完了により原稿枚数をカウントアップするカウント機能を有している。給送された原稿は読み取りユニット５０によってコンタクトガラス６上の原稿の画像データを読み取り後、読み取りが終了した原稿は、給送ベルト４及び排送ローラ５によって排出される。
【００２６】
さらに、原稿セット検知７にて原稿台２に次の原稿が有ることを検知した場合、前原稿と同様にコンタクトガラス６上に給送される。給送ローラ３、給送ベルト４、排送ローラ５は搬送モータ２６によって駆動される。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
【００２７】
読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。
【００２８】
その後、定着ユニット１７にて画像を定着させ、排紙ユニット１８によって後処理装置のフィニシャ１００に排出される。
【００２９】
後処理装置のフィニシャ１００は、本体の排紙ユニット１８によって搬送された転写紙を、通常排紙ローラ１０２方向と、ステープル処理部方向へ導く事ができる。切り替え板１０１を上に切り替える事により、搬送ローラ１０３を経由して通常排紙トレイ１０４側に排紙する事ができる。
【００３０】
また、切り替え板１０１を下方向に切り替える事で、搬送ローラ１０５、１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００３１】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００３２】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。
【００３３】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００３４】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００３５】
図２は、操作部３０の構成例を示している。
【００３６】
操作部３０には、液晶タッチパネル３１、テンキー３２、クリア／ストップキー３３、プリントキー３４、原稿並べ替えキー３５、原稿挿入キー３６があり、液晶タッチパネル３１には、各種機能キー及び画像形成装置の状態を示すメッセージなどが表示される。
【００３７】
オペレータが液晶タッチパネル３１に表示されたキーにタッチする事で、選択された機能を示すキーが黒く反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００３８】
図３は、メインコントローラを中心に、制御装置の構成例を示している。
【００３９】
メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。各分散制御装置とメインコントローラ２０は必要に応じて機械の状態、動作司令のやりとりを行っている。また紙搬送等に必要なメインモータ２５、各種クラッチ２１〜２４も接続されている。
【００４０】
図１に戻り、画像形成装置の原稿読み取りから、画像の書き込みまでを説明する。
【００４１】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。
【００４２】
露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジ第２キャリッジとが２対１の相対速度で機械的に走査される。この光学走査系は、図示しないスキャナ駆動モータにて駆動される。
【００４３】
原稿画像は、ＣＣＤイメージセンサ５４によって読み取られ、電気信号に変換されて処理される。
【００４４】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。
【００４５】
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００４６】
図４は、画像処理ユニット（ＩＰＵ）４９の内部構成の一例を示すブロック図である。
【００４７】
露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。その後、印字合成部７１を介して入力した画像データを変倍回路７６へ、あるいは、画像メモリコントローラ６５へ切り替えて供給するものであり、変倍回路７７を経由した画像信号は変倍率に合せて拡大縮小され、書き込みユニット５７に送られる。
【００４８】
一方、画像メモリコントローラ６５とセレクタ６４間は、双方向に画像信号を入出力可能な構成となっている。
【００４９】
なお、図４には特に明示していないが、ＩＰＵ４９には読み取りユニット５０から入力される画像データ以外にもＩ／Ｏポート６７、電話回線通信制御ユニット６８を介して外部から供給される画像データ、例えばパーソナルコンピュータ等のデータ処理装置から入力したデータも処理できるよう、複数のデータの入出力の選択を行なう機能を有しているものとする。
【００５０】
また、画像メモリコントローラ６５等への設定や、読み取り部５０書き込み部５７の制御を行うＣＰＵ６８、及びそのプログラムやデータを格納するＲＯＭ６９、ＲＡＭ７０、ＮＶ−ＲＡＭ７４を備えている。更にＣＰＵ６８は、メモリコントローラ６５を介して、画像メモリ６６のデータの書き込み、読み出しが行える。
【００５１】
原稿画像で画像メモリコントローラ６５へ送られた画像は、画像メモリコントローラ内にある画像圧縮装置によって画像データを圧縮した後、その原稿が読み取られた順番をページ情報として付加したのち、画像メモリー６６に送られる。
【００５２】
ここで画像圧縮する理由は、最大画像サイズ分の２５６階調のデータをそのまま画像メモリー６６に書き込む事も可能であるが、１枚の原稿画像で画像メモリを大変多く使用する。画像圧縮を行う事で、限られた画像メモリを有効に利用できる。
【００５３】
また、一度に多くの原稿画像データを記憶することが出来るため、ソート機能として、貯えられた原稿画像イメージデータをページ順に出力する事ができる。
【００５４】
この場合画像を出力する際に画像メモリー６６のデータをメモリコントローラ６５内の伸長装置で順次伸長しながら出力を行う。このような機能は一般に「電子ソート」と呼ばれている。
【００５５】
また画像メモリの機能を利用して、複数枚の原稿画像を、画像メモリの転写紙一枚分のエリアを分割したエリアに順次読み込む事も可能となる。例えば４枚の原稿画像を、画像メモリの転写紙一枚分の４等分されたエリアに順次書き込む事で、４枚の原稿が一枚の転写紙イメージに合成され集約されたコピー出力を得ることが可能となる。このような機能は一般に「集約コピー」と呼ばれている。
【００５６】
画像メモリ６６の画像はＣＰＵ６８からアクセス可能な構成となっている。このため画像メモリの内容を加工することが可能であり、例えば画像の間引き処理、画像の切り出し処理等が行える。加工には、メモリコントローラ６５のレジスタにデータを書き込む事で画像メモリの処理を行う事ができる。加工された画像は再度画像メモリに保持される。
【００５７】
画像メモリー６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の二組のアドレス・データ線で接続されている。これによりエリア１に画像を入力（ライト）する間にエリア２より画像を出力（リード）するという動作が可能になる。
【００５８】
画像メモリー６６は、多くの画像データを収納するためハードディスクを別に設けることもある。ハードディスクを用いる事により、外部電源が不用で永久的に画像を保持できる特徴もある。複数の定型の原稿（フォーマット原稿）をスキャナで読み込み保持するためには、このハードディスクが用いられるのが一般的である。
【００５９】
書き込み、読み出しには本体の作像やスキャナからの画像書き込みに対し処理速度の差を吸収する為に、画像メモリに一旦記憶され処理される。また画像記憶装置からのデータを書き込みユニット５７に送る際は、画像メモリー６６に一旦記憶し、書き込みユニット５７に送ることになる。このように画像を記憶する装置の画像メモリー６６、ＨＤ７５スキャナ画像、書き込みユニットに送る画像の入出力は全てメモリコントローラ６５によって画像パスを決められる。
【００６０】
さて、上述したように、この画像形成装置には、画像形成動作に係わる条件としてこれまでに設定されている値、あるいはデフォルト値（デフォルト情報）を設定し、設定された条件を画面表示し、オペレータが画面を見ながらキー操作等の入力操作を行うことにより設定変更を行ったり、表示された情報を確認したりできるようになっていて、このために、初期条件や過去の設定条件を保存している。
【００６１】
図５は、デフォルト値（デフォルト情報）を登録する際の処理の一例を示している。
【００６２】
デフォルトプログラム（デフォルト値）として不揮発メモリに保存するためのデータを取得し（処理１０１）し、取得したデータがカラーモード関係かのチェックを行なう（判断１０２）。
【００６３】
取得したデータがカラーモード関係の場合は、現在画像形成装置がトナーエンドが発生しているかをチェックし（判断１０３）し、トナーエンドが発生している場合には、カラーモードに関係するデータをデフォルト値として不揮発メモリに保存対象からはずし（処理１０４）、トナーエンドが発生していない場合には、取得したカラーモード関係のデータをデフォルト値として不揮発メモリに保存する対象とする（処理１０５）。
【００６４】
その後、デフォルト値設定用のデータを全てチェック完了したかの（判断１０６）判定を行ない、全て完了したならば、ここでチェックを行なった、デフォルト値としての対象データを不揮発メモリに記憶する。
【００６５】
図６は、デフォルト値（デフォルト情報）を登録する際の処理の他の例を示している。
【００６６】
デフォルトプログラム（デフォルト値）として不揮発メモリに保存するためのデータを取得し（処理２０１）し、取得したデータがステープル関連のモードかのチェックを行なう（判断２０２）。
【００６７】
取得したデータがステープル関係の場合は、現在画像形成装置がステープルエンドが発生しているかをチェックし（判断２０３）し、ステープルエンドが発生している場合には、ステープルに関係するデータをデフォルト値として不揮発メモリに保存対象からはずし（処理２０４）、ステープルエンドが発生していない場合には、取得したステープル関係のデータをデフォルト値として不揮発メモリに保存する対象とする（処理２０５）。
【００６８】
その後、デフォルト値設定用のデータを全てチェック完了したかの（判断２０６）判定を行ない、全て完了したならば、ここでチェックを行なった、デフォルト値としての対象データを不揮発メモリに記憶する。
【００６９】
図７は、画像形成装置で、デフォルト値を取得する際の処理の一例を示している。
【００７０】
デフォルトプログラム（デフォルト値）のデータを不揮発メモリからデータ取得し（処理３０１）、現在の機器状態にトナーエンド、または、ステープルエンドが発生しているかどうかを調べる（判断３０２）。
【００７１】
機器状態にトナーエンド、または、ステープルエンドが発生している場合には、不揮発メモリから取得したデータがカラーモード、および、ステープル関連の情報であるかどうかを調べる（判断３０３）。
【００７２】
現在の機器状態がトナーエンド及びステープルエンドで、不揮発メモリから取得したデータがカラーモード、および、ステープル関連の場合には、デフォルトプログラムとして、使用しない。そして、処理３０４へ進み、デフォルトプログラム用の不揮発メモリから全てのデータ取得が完了したかどうかを調べ（判断３０４）、完了していない場合には、再度不揮発メモリ内のデータ取得を行なう。
【００７３】
一方、不揮発メモリから取得したデータがカラーモードでも、ステープルモード関連でもない場合には、機器状態がトナーエンド及びステープルエンドが発生していたとしてもデフォルト値としてデータを使用する（処理３０５）。そして、判断３０４へ進む。
【００７４】
このようにして、本実施例では、デフォルトプログラムの設定を行なう際、トナーエンドが発生している場合に、トナーエンドに関係するカラーモードをデフォルト値として設定しないことで、呼び出した際、使用できないモードを呼び出すことを抑止することができる。
【００７５】
また、デフォルトプログラムの設定を行なう際、トナーエンドが発生している場合に、ステープルエンドに関係するステープルエンドをデフォルト値として設定しないことで、呼び出した際、使用できないモードを呼び出すことを抑止することができる。
【００７６】
また、トナーエンド又は、ステープルエンドに関係する機能を呼び出してしまうと警告が発生してしまうことを防ぐことができる。
【００７７】
なお、本発明は、上述した実施例と同様の構成を備えたものであれば、他の構成の画像形成装置についても、同様にして適用することができる。
【図面の簡単な説明】
【００７８】
【図１】本発明の一実施例にかかる画像形成装置の構成例を示したブロック図。
【図２】操作部３０の構成例を示した概略図。
【図３】メインコントローラを中心に、制御装置の構成例を示したブロック図。
【図４】画像処理ユニット（ＩＰＵ）４９の内部構成の一例を示すブロック図。
【図５】デフォルト値（デフォルト情報）を登録する際の処理の一例を示したフローチャート。
【図６】デフォルト値（デフォルト情報）を登録する際の処理の他の例を示したフローチャート。
【図７】画像形成装置で、デフォルト値を取得する際の処理の一例を示したフローチャート。
【符号の説明】
【００７９】
２０  メインコントローラ
３０  操作部
【図１】
2007156279.tif 000003
【図２】
2007156279.tif 000004
【図３】
2007156279.tif 000005
【図４】
2007156279.tif 000006
【図５】
2007156279.tif 000007
【図６】
2007156279.tif 000008
【図７】
2007156279.tif 000009